【事件の表示】
　特願２００６−１７０３８６「記憶装置及び記憶方法」拒絶査定不服審判事件〔平成１８年１１月　２日出願公開、特開２００６−３０２５０１〕について、次のとおり審決する。
【結　論】
　本件審判の請求は、成り立たない。
【理　由】
第１　手続の経緯
　本願は、平成１３年２月１６日に出願した特願２００１−３９９９４号の一部を平成１８年６月２０日に新たな特許出願としたものであって、平成１９年１１月１２日付けの拒絶理由通知に対する応答期間内の平成２０年１月２１日付けで手続補正がなされ、同年４月１５日付けの拒絶理由通知（最後）に対する応答期間内の同年６月２３日付けで手続補正がなされたが、同年１０月３日付けで平成２０年６月２３日付け手続補正が却下されるとともに拒絶査定がなされ、これに対し、同年１１月６日付けで拒絶査定不服審判が請求されるとともに、同年１２月８日付けで手続補正がなされた。
　その後、平成２２年９月１０日付けで前置報告書を利用した審尋がなされ、同年１１月８日付けで回答書が提出されたものである。
　
第２　平成２０年１２月８日付けの手続補正についての補正却下の決定　
　
［補正却下の決定の結論］
　平成２０年１２月８日付けの手続補正を却下する。
［理由］
１．本件補正
　平成２０年１２月８日付けの手続補正（以下「本件補正」という。）による特許請求の範囲の補正については、補正前（平成２０年１月２１日付け手続補正書）に、
「【請求項１】
　記録媒体に記録された複数のデータを記憶する記憶手段と、
　上記複数のデータがそれぞれ上記記憶手段に記憶されているかを示す識別情報を有する上記記録媒体に対応したデータベースを生成し上記記憶手段に記憶させる生成処理と、再生手段が上記記録媒体を再生するときに、上記データベースに基づいて上記複数のデータのうち少なくとも何れか一のデータが上記記憶手段に記憶されているかを判断し、上記複数のデータが何れも上記記憶手段に記憶されていないときに上記複数のデータ全てを、上記記憶手段に自動的に記憶させる記憶制御処理を実行し、上記複数のデータのうち一のデータの記憶を上記記憶手段が完了したときに、上記データベースにおける上記一のデータに対応する識別情報を、上記一のデータが上記記憶手段に記憶されていることを示すように更新する制御手段と
　を備える記憶装置。
　【請求項２】
　上記制御手段は、上記記憶手段に上記一のデータを記憶させているときに、所定の操作入力に基づいて上記記憶制御処理を中断し、上記記憶手段に記憶させた上記一のデータを消去させる
　ことを特徴とする請求項１に記載の記憶装置。
　【請求項３】
　上記制御手段は、上記複数のデータのうち少なくとも一のデータが上記記憶手段に記憶されているときに、上記複数のデータのうち上記記憶手段に記憶されていないデータを、上記記憶手段に自動的に記憶させる
　ことを特徴とする請求項１に記載の記憶装置。
　【請求項４】
　上記制御手段は、再生指示操作が入力されたときに上記再生手段に上記記憶媒体を再生させると共に、上記記憶制御処理を実行する
　ことを特徴とする請求項１に記載の記憶装置。
　【請求項５】
　上記制御手段は、上記記憶媒体に関連する付加情報が入力されたときに、上記データベースが上記識別情報と対応付けて上記付加情報を有するように、上記データベースを更新する
　ことを特徴とする請求項１に記載の記憶装置。
　【請求項６】
　上記付加情報は、上記記録媒体に記憶される情報、通信手段が受信した情報、又は操作入力に基づいて直接入力される情報である
　ことを特徴とする請求項５に記載の記憶装置。
　【請求項７】
　　上記付加情報は、曲名、アーティスト名、歌詞、歌詞作曲者、制作会社名、アルバムジャケット画像、アーティスト画像、イメージ画像の少なくとも一つである
　ことを特徴とする請求項５に記載の記憶装置。
　【請求項８】
　　上記識別情報は上記付加情報である
　ことを特徴とする請求項５に記載の記憶装置。
　【請求項９】
　　上記記録媒体はコンパクトディスクである
　請求項１に記載の記憶装置。
　【請求項１０】
　上記データベースは、上記コンパクトディスクのTOCに基づいて生成される
　ことを特徴とする請求項９に記載の記憶装置。
　【請求項１１】
　上記記憶装置は更に、記録媒体に記録されるデータを圧縮する圧縮手段を備え、
　上記制御手段は、上記記憶手段に上記記録媒体の一のデータを記憶させるときに、上記圧縮手段に上記一のデータを圧縮させ、上記圧縮させた複数のデータを上記記憶手段に記憶させる
　ことを特徴とする請求項１に記載の記憶装置。
　【請求項１２】
　上記記憶手段はハードディスク、又はメモリである
　ことを特徴とする請求項１に記載の記憶装置。
　【請求項１３】
　上記制御手段は、上記記憶制御を実行するとともに、上記再生手段が再生する上記記録媒体に記録されているデータを出力手段に出力させる
　ことを特徴とする請求項１に記載の記憶装置。
　【請求項１４】
　記録媒体に記録された複数のデータを記憶手段に記憶する記憶ステップと、
　上記複数のデータがそれぞれ上記記憶手段に記憶されているかを示す識別情報を有する上記記録媒体に対応したデータベースを生成し上記記憶手段に記憶させる生成処理と、再生手段が上記記録媒体を再生するときに、上記データベースに基づいて上記複数のデータのうち少なくとも何れか一のデータが上記記憶手段に記憶されているかを判断し、上記複数のデータが何れも上記記憶手段に記憶されていないときに上記複数のデータ全てを、上記記憶手段に自動的に記憶させる記憶制御処理を実行し、上記複数のデータのうち一のデータの記憶を上記記憶手段が完了したときに、上記データベースにおける上記一のデータに対応する識別情報を、上記一のデータが上記記憶手段に記憶されていることを示すように更新する制御ステップと
　を実行する記憶方法。
　【請求項１５】
　上記制御ステップは、上記記憶手段に上記一のデータを記憶させているときに、一の操作入力に基づいて上記記憶制御処理を中断し、上記記憶手段に記憶させた上記一のデータを消去させる
　ことを特徴とする請求項１４に記載の記憶方法。
　【請求項１６】
　上記制御ステップは、上記複数のデータのうち少なくとも一のデータが上記記憶手段に記憶されているときに、上記複数のデータのうち上記記憶手段に記憶されていないデータを、上記記憶手段に自動的に記憶させる
　ことを特徴とする請求項１４に記載の記憶方法。
　【請求項１７】
　上記制御ステップは、再生指示操作が入力されたときに上記再生手段に上記記憶媒体を再生させるとともに、上記記憶制御処理を実行する
　ことを特徴とする請求項１４に記載の記憶方法。
　【請求項１８】
　上記制御ステップは、上記記憶媒体に関連する付加情報が入力されたときに、上記データベースが上記識別情報と対応付けて上記付加情報を有するように、上記データベースを更新する
　ことを特徴とする請求項１４に記載の記憶方法。
　【請求項１９】
　上記付加情報は、上記記録媒体に記憶される情報、通信手段が受信した情報、又は操作入力に基づいて直接入力される情報である
　ことを特徴とする請求項１８に記載の記憶方法。
　【請求項２０】
　　上記付加情報は、曲名、アーティスト名、歌詞、歌詞作曲者、制作会社名、アルバムジャケット画像、アーティスト画像、イメージ画像の少なくとも一つである
　ことを特徴とする請求項１８に記載の記憶方法。
　【請求項２１】
　　上記識別情報は上記付加情報である
　ことを特徴とする請求項１８に記載の記憶方法。
　【請求項２２】
　　上記記録媒体はコンパクトディスクである
　請求項１４に記載の記憶方法。
　【請求項２３】
　上記データベースは、上記コンパクトディスクのＴＯＣに基づいて生成される
　ことを特徴とする請求項２２に記載の記憶方法。
　【請求項２４】
　上記記憶装置は更に、記録媒体に記録されるデータを圧縮する圧縮ステップを備え、
　上記制御ステップは、上記記憶手段に上記記録媒体の一のデータを記憶させるときに、上記圧縮ステップに上記一のデータを圧縮させ、上記圧縮させた複数のデータを上記記憶手段に記憶させる
　ことを特徴とする請求項１４に記載の記憶方法。
　【請求項２５】
　上記記憶手段はハードディスク、又はメモリである
　ことを特徴とする請求項１４に記載の記憶方法。
　【請求項２６】
　上記制御ステップは、上記記憶制御を実行するとともに、上記再生手段が再生する上記記録媒体に記録されているデータを出力手段に出力させる
　ことを特徴とする請求項１４に記載の記憶方法。」
　とあったところを、
　
「【請求項１】
　記録媒体に記録された複数のデータを記憶する記憶手段と、
　上記複数のデータがそれぞれ上記記憶手段に記憶されているかを示す識別情報を有する上記記録媒体に対応したデータベースを生成し上記記憶手段に記憶させる生成処理と、再生手段が上記記録媒体を再生するときに、上記データベースに基づいて上記複数のデータのうち少なくとも何れか一のデータが上記記憶手段に記憶されているかを判断し、上記判断結果に基づいて、上記複数のデータ全てを上記記憶手段に記憶させるか、上記記憶されている少なくとも一のデータ以外のデータを上記記憶手段に記憶させるかを自動的に切り替え、上記複数のデータが何れも上記記憶手段に記憶されていないときには上記複数おデータ全てを、上記複数のデータのうち少なくとも一のデータが上記記憶手段に記憶されているときには、上記記憶されている少なくとも一のデータ以外のデータを、上記記憶手段に自動的に記憶させる記憶制御処理を実行し、上記複数のデータのうち所定のデータの記憶を上記記憶手段が完了したときに、上記データベースにおける上記所定のデータに対応する識別情報を、上記所定のデータが上記記憶手段に記憶されていることを示すように更新する制御手段と
　を備える記憶装置。
　【請求項２】
　上記制御手段は、上記記憶手段に上記一のデータを記憶させているときに、所定の操作入力に基づいて上記記憶制御処理を中断し、上記記憶手段に記憶させた上記一のデータを消去させる
　ことを特徴とする請求項１に記載の記憶装置。
　【請求項３】
　上記制御手段は、再生指示操作が入力されたときに上記再生手段に上記記憶媒体を再生させると共に、上記記憶制御処理を実行する
　ことを特徴とする請求項１に記載の記憶装置。
　【請求項４】
　上記制御手段は、上記記憶媒体に関連する付加情報が入力されたときに、上記データベースが上記識別情報と対応付けて上記付加情報を有するように、上記データベースを更新する
　ことを特徴とする請求項１に記載の記憶装置。
　【請求項５】
　上記付加情報は、上記記録媒体に記憶される情報、通信手段が受信した情報、又は操作入力に基づいて直接入力される情報である
　ことを特徴とする請求項４に記載の記憶装置。
　【請求項６】
　　上記付加情報は、曲名、アーティスト名、歌詞、歌詞作曲者、制作会社名、アルバムジャケット画像、アーティスト画像、イメージ画像の少なくとも一つである
　ことを特徴とする請求項４に記載の記憶装置。
　【請求項７】
　　上記識別情報は上記付加情報である
　ことを特徴とする請求項４に記載の記憶装置。
　【請求項８】
　　上記記録媒体はコンパクトディスクである
　請求項１に記載の記憶装置。
　【請求項９】
　上記データベースは、上記コンパクトディスクのTOCに基づいて生成される
　ことを特徴とする請求項８に記載の記憶装置。
　【請求項１０】
　上記記憶装置は更に、記録媒体に記録されるデータを圧縮する圧縮手段を備え、
　上記制御手段は、上記記憶手段に上記記録媒体の一のデータを記憶させるときに、上記圧縮手段に上記一のデータを圧縮させ、上記圧縮させた複数のデータを上記記憶手段に記憶させる
　ことを特徴とする請求項１に記載の記憶装置。
　【請求項１１】
　上記記憶手段はハードディスク、又はメモリである
　ことを特徴とする請求項１に記載の記憶装置。
　【請求項１２】
　上記制御手段は、上記記憶制御を実行するとともに、上記再生手段が再生する上記記録媒体に記録されているデータを出力手段に出力させる
　ことを特徴とする請求項１に記載の記憶装置。
　【請求項１３】
　記録媒体に記録された複数のデータを記憶手段に記憶する記憶ステップと、
　上記複数のデータがそれぞれ上記記憶手段に記憶されているかを示す識別情報を有する上記記録媒体に対応したデータベースを生成し上記記憶手段に記憶させる生成処理と、再生手段が上記記録媒体を再生するときに、上記データベースに基づいて上記複数のデータのうち少なくとも何れか一のデータが上記記憶手段に記憶されているかを判断し、上記判断結果に基づいて、上記複数のデータ全てを上記記憶手段に記憶させるか、上記記憶されている少なくとも一のデータ以外のデータを上記記憶手段に記憶させるかを自動的に切り替え、上記複数のデータが何れも上記記憶手段に記憶されていないときに上記複数のデータ全てを、上記複数のデータのうち少なくとも一のデータが上記記憶手段に記憶されているときには、上記記憶されている少なくとも一のデータ以外のデータを、上記記憶手段に自動的に記憶させる記憶制御処理を実行し、上記複数のデータのうち所定のデータの記憶を上記記憶手段が完了したときに、上記データベースにおける上記所定のデータに対応する識別情報を、上記所定のデータが上記記憶手段に記憶されていることを示すように更新する制御ステップと
　を実行する記憶方法。
　【請求項１４】
　上記制御ステップは、上記記憶手段に上記一のデータを記憶させているときに、一の操作入力に基づいて上記記憶制御処理を中断し、上記記憶手段に記憶させた上記一のデータを消去させる
　ことを特徴とする請求項１３に記載の記憶方法。
　【請求項１５】
　上記制御ステップは、再生指示操作が入力されたときに上記再生手段に上記記憶媒体を再生させるとともに、上記記憶制御処理を実行する
　ことを特徴とする請求項１３に記載の記憶方法。
　【請求項１６】
　上記制御ステップは、上記記憶媒体に関連する付加情報が入力されたときに、上記データベースが上記識別情報と対応付けて上記付加情報を有するように、上記データベースを更新する
　ことを特徴とする請求項１３に記載の記憶方法。
　【請求項１７】
　上記付加情報は、上記記録媒体に記憶される情報、通信手段が受信した情報、又は操作入力に基づいて直接入力される情報である
　ことを特徴とする請求項１６に記載の記憶方法。
　【請求項１８】
　　上記付加情報は、曲名、アーティスト名、歌詞、歌詞作曲者、制作会社名、アルバムジャケット画像、アーティスト画像、イメージ画像の少なくとも一つである
　ことを特徴とする請求項１６に記載の記憶方法。
　【請求項１９】
　　上記識別情報は上記付加情報である
　ことを特徴とする請求項１６に記載の記憶方法。
　【請求項２０】
　　上記記録媒体はコンパクトディスクである
　請求項１３に記載の記憶方法。
　【請求項２１】
　上記データベースは、上記コンパクトディスクのＴＯＣに基づいて生成される
　ことを特徴とする請求項２０に記載の記憶方法。
　【請求項２２】
　上記記憶装置は更に、記録媒体に記録されるデータを圧縮する圧縮ステップを備え、
　上記制御ステップは、上記記憶手段に上記記録媒体の一のデータを記憶させるときに、上記圧縮ステップに上記一のデータを圧縮させ、上記圧縮させた複数のデータを上記記憶手段に記憶させる
　ことを特徴とする請求項１３に記載の記憶方法。
　【請求項２３】
　上記記憶手段はハードディスク、又はメモリである
　ことを特徴とする請求項１３に記載の記憶方法。
　【請求項２４】
　上記制御ステップは、上記記憶制御を実行するとともに、上記再生手段が再生する上記記録媒体に記録されているデータを出力手段に出力させる
　ことを特徴とする請求項１３に記載の記憶方法。」
　とするものである。
　
　本件補正における請求項１については、概略、補正前の請求項３における発明特定事項である「上記複数のデータのうち少なくとも一のデータが上記記憶手段に記憶されているときに、上記複数のデータのうち上記記憶手段に記憶されていないデータを」を付加すると共に、「上記判断結果に基づいて、上記複数のデータ全てを上記記憶手段に記憶させるか、上記記憶されている少なくとも一のデータ以外のデータを上記記憶手段に記憶させるかを自動的に切り替え」との構成をさらに付加して「制御手段」を限定したものであるから、平成１８年法律第５５号改正附則第３条第１項によりなお従前の例によるとされる同法による改正前の特許法第１７条の２第４項第２号に規定する特許請求の範囲の減縮を目的とするものに該当する。
　
　そこで、本件補正後の請求項１に係る発明（以下「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項に規定する要件を満たすか）否かについて以下検討する。
　
２．引用例
　原査定の拒絶の理由に引用された特開２０００−１１３６５１号公報（平成１２年４月２１日公開、以下「引用例」という。）には、情報記録再生装置に関し、図面と共に、以下の記載がある。（なお、下線は当審で付与した。）
（１）「【００１１】請求項２又は請求項３記載の発明によれば、
第１の記録媒体から主情報を再生して第２の記録媒体に記録するとき、制御手段が当該主情報に対応する判別情報を第１の記録媒体から再生すると共に、当該判別情報が第２の記録媒体に記録されているか判断し、その結果、第１の記録媒体から再生された判別情報が既に第２の記録媒体に記録されていると判断されたときに記録動作を中断する一方、第１の記憶媒体から再生された判別情報が記録されていないと判断されたときに記録動作を続行して当該判別情報を主情報と共に第２の記録媒体に記録させ、第２の記録媒体において主情報と判別情報とを対応させた状態とする
【００１２】請求項４記載の発明によれば、上記判別情報を記録媒体に記録されている主情報の再生時間又は総数等の情報によって構成することにより、第１の記録媒体にテキスト情報等の特殊な情報が記録されていない場合であっても、第２の記録媒体に記録される主情報が重複されるものであるか否かを表すメッセージの表示や第２の記録媒体における音楽情報の重複記録の防止を行うことができる。
【００１３】
【発明の実施の形態】以下、本発明の実施の形態について図面を参照して詳細に説明する。【００１４】図１は本発明の一実施の形態である情報記録再生装置の電気的構成を示す概略機能ブロック図、図２は同情報記録再生装置におけるダビング時の動作制御を示すフローチャート、図３は同情報記録再生装置において用いられる記録媒体の判別情報の一例を示す説明図である。
【００１５】以下、本発明の一実施の形態である情報記録再生装置を、図１乃至図３に基づいて説明する。
【００１６】図１において、１は図示しないＣＤからＴＯＣ情報や音楽情報を再生するＣＤ再生部、２は図示しないＭＤにＴＯＣ情報や音楽情報を記録したりＭＤからＴＯＣ情報や音楽情報を記録したりするＭＤ記録再生部、３はＣＤ再生部１又はＭＤ記録再生部２から再生された音楽情報の信号レベルを増幅するアンプ、４はアンプ３によって増幅された音楽情報を外部に放音するスピーカである。
【００１７】５はＣＤ再生部１やＭＤ記録再生部２から再生されたＴＯＣ情報を記憶するメモリ、６はダビングの開始指示や再生曲の指定等を行う操作部、７は装置本体の動作状態を表示する表示部、８はメモリ５に記憶されたＴＯＣ情報や操作部６からの各種指示に基づいてＣＤ再生部１における再生制御やＭＤ記録再生部２における記録／再生制御や表示部７における表示制御等を行う主制御部である。
【００１８】そして、このように構成された情報記録再生装置において、ＣＤ再生部１又はＭＤ記録再生部２に図示しないＣＤ又はＭＤが装着されたとき、その装着されたＣＤ又はＭＤからＴＯＣ情報が再生されてメモリ５に記憶され、そのメモリ５に記憶されたＴＯＣ情報に基づいて主制御部８が表示部７にＣＤ又はＭＤに記録されている曲数やディスク名又は曲番号や曲名を表示するようになっている。」　
　
（２）「【００２０】次に、上記のように構成された情報記録再生装置について、ＣＤに記録された音楽情報をＭＤに記録するときの動作を図２に示すフローチャートに基づいて説明する。
【００２１】ＣＤ再生部１又はＭＤ記録再生部２に図示しないＣＤ又はＭＤが装着され、その装着されたＣＤ又はＭＤからＴＯＣ情報が再生されてメモリ５に記憶されると共に、そのメモリに記憶されたＴＯＣ情報に基づいて主制御部８が表示部７にＣＤ又はＭＤに記録されている曲数や曲名を表示している状態において、その表示部７の表示に基づいて使用者が操作部６を操作してダビングすべき音楽情報の曲番号の設定やダビングの開始指示を行うことにより主制御部８がダビングモードに移行する。
【００２２】そして、ダビングモードに移行すると、主制御部８はＣＤ再生部１に装着されているＣＤの総演奏時間と総曲数及び操作部６によって設定されたダビングすべき音楽情報の開始時間をメモリ５に記憶されたＴＯＣ情報から読み出してダビングすべき音楽情報の判別情報とし（ステップＳ１）、その判別情報と一致する判別情報がＭＤ記録再生部２に装着されているＭＤに対応するＴＯＣ情報に含まれているか否かメモリ５を検索することによって判断する（ステップＳ２）。
【００２３】そして、その結果、ダビングすべき音楽情報に対応する判別情報と一致する判別情報がＭＤ記録再生部２に装着されているＭＤに対応するＴＯＣ情報に含まれていると判断された場合には、主制御部８は表示部７にダビングすべき音楽情報が既に記録されている旨のメッセージを表示させる（ステップＳ３）。
【００２４】そして、この表示部７の表示に基づいて使用者が操作部６を操作してダビング続行を指示した場合（ステップＳ４）、又はダビングすべき音楽情報に対応する判別情報と一致する判別情報がＭＤ記録再生部２に装着されているＭＤに対応するＴＯＣ情報に含まれていないと判断された場合（ステップＳ２）には、主制御部８はＣＤ再生部１を制御してダビングすべき音楽情報を再生させると同時にＭＤ記録再生部２を制御してＣＤ再生部１からの音楽情報をＭＤの空き領域に記録させることによって音楽情報のダビングを開始させる（ステップＳ６）。
【００２５】そして、
音楽情報のダビング開始後、設定された曲番号のダビングが終了したとき（ステップＳ７）、主制御部８は音楽情報が記録された後のＭＤのＴＯＣ情報を作成する（ステップＳ８）と共に、ＭＤ記録再生部２を制御してその作成したＴＯＣ情報を記録させる（ステップＳ９）。尚、主制御部８において作成するＴＯＣ情報の内の新たに記録した音楽情報に対応する情報には、ダビングすべき音楽情報に対応する判別情報を含ませる
【００２６】そして、ＭＤにＴＯＣ情報を記録させた後（ステップＳ９）、又は表示部７にダビングすべき音楽情報が既に記録されている旨のメッセージを表示させている状態において使用者が操作部６を操作してダビング中段を指示した場合（ステップＳ５）には、主制御部８はダビングすべき音楽情報が残っているか否か判断し（ステップＳ１０）、次曲があると判断した場合において、その音楽情報に対応する判別情報をメモリ５から読み出すことによって以下上述の動作制御（ステップＳ１〜Ｓ１０）を再び行い、次曲がないと判断した場合にダビングモードを終了する。」　
　
（３）「【００２８】尚、上記動作制御では、
個々の曲のダビング動作
【００２９】又、上記実施の形態では、ＣＤ再生部１とＭＤ記録再生部２とを備えたものについて説明したが、これに限定するものではなく、例えば、
メモリ５と操作部６と表示部７と主制御部８とをＭＤ記録再生装置の回路を用いて構成する
　
　上記摘示事項及び図面の記載を総合勘案すると、引用例には、次の発明（以下「引用発明」という。）が記載されているものと認める。
「第１の記録媒体から個々の主情報を再生して第２の記録媒体に記録するとき、当該主情報に対応する判別情報を第１の記録媒体から再生すると共に、当該判別情報が第２の記録媒体に記録されているか判断し、第１の記録媒体から再生された判別情報が既に第２の記録媒体に記録されていると判断されたときに記録動作を中断させ、第１の記憶媒体から再生された判別情報が記録されていないと判断されたときに記録動作を続行して主情報のダビングが終了したとき、当該判別情報を記録させ、主情報と判別情報とを対応させた状態とする制御手段と
　を備える情報記録再生装置。」
　
３．対比
　そこで、本願補正発明と引用発明とを対比する。
　
（１）引用発明の「第１の記録媒体」「主情報」及び「第２の記録媒体」は、本願補正発明の「記録媒体」「データ」及び「記憶手段」にそれぞれ相当し、そして、引用発明は、第１の記録媒体の個々の主情報をダビングするのであるから、複数の主情報を第２の記録媒体に記憶することは明らかである。
（２）引用発明の「判別情報」は、、本願補正発明の「識別情報」に相当する。
（３）引用発明は、「主情報と判別情報とを対応させた状態」で記録するのであるから、本願補正発明の「上記複数のデータがそれぞれ上記記憶手段に記憶されているかを示す識別情報を有する上記記録媒体に対応したデータベースを生成し上記記憶手段に記憶させる生成処理」に相当する構成を備えている。
（４）引用発明は、「当該判別情報が第２の記録媒体に記録されているか判断し、第１の記録媒体から再生された判別情報が既に第２の記録媒体に記録されていると判断されたときに記録動作を中断させ、第１の記憶媒体から再生された判別情報が記録されていないと判断されたときに記録動作を続行」するのであるから、本願補正発明の「上記データベースに基づいて上記複数のデータのうち少なくとも何れか一のデータが上記記憶手段に記憶されているかを判断し、上記判断結果に基づいて、上記記憶されている少なくとも一のデータ以外のデータを上記記憶手段に記憶させるかを自動的に切り替え」及び「上記複数のデータのうち少なくとも一のデータが上記記憶手段に記憶されているときには、上記記憶されている少なくとも一のデータ以外のデータを、上記記憶手段に自動的に記憶させる記憶制御処理を実行し」に相当する構成を備えている。
（５）引用発明の「主情報のダビングが終了したとき、当該判別情報を記録させ、主情報と判別情報とを対応させた状態とする」は、本願補正発明の「上記複数のデータのうち所定のデータの記憶を上記憶手段が完了したときに、上記データベースにおける上記所定のデータに対応する識別情報を、上記所定のデータが上記記憶手段に記憶されていることを示すように更新する」に相当する。
（６）引用発明と本願補正発明の「制御手段」は共通する。
　　　　
　そうすると、本願補正発明と引用発明とは、次の点で一致する。
　
＜一致点＞
　「記録媒体に記録された複数のデータを記憶する記憶手段と、
　上記複数のデータがそれぞれ上記記憶手段に記憶されているかを示す識別情報を有する上記記録媒体に対応したデータベースを生成し上記記憶手段に記憶させる生成処理と、再生手段が上記記録媒体を再生するときに、上記データベースに基づいて上記複数のデータのうち少なくとも何れか一のデータが上記記憶手段に記憶されているかを判断し、上記判断結果に基づいて、上記記憶されている少なくとも一のデータ以外のデータを上記記憶手段に記憶させるかを自動的に切り替え、上記複数のデータのうち少なくとも一のデータが上記記憶手段に記憶されているときには、上記記憶されている少なくとも一のデータ以外のデータを、上記記憶手段に自動的に記憶させる記憶制御処理を実行し、上記複数のデータのうち所定のデータの記憶を上記憶手段が完了したときに、上記データベースにおける上記所定のデータに対応する識別情報を、上記所定のデータが上記記憶手段に記憶されていることを示すように更新する制御手段と
　を備える記憶装置。」
　
　そして、次の点で相違する。
　
＜相違点＞
　本願補正発明は、「上記複数のデータ全てを上記記憶手段に記憶させるか、上記記憶されている少なくとも一のデータ以外のデータを上記記憶手段に記憶させるかを自動的に切り替え、上記複数のデータが何れも上記記憶手段に記憶されていないときには上記複数のデータ全てを、上記複数のデータのうち少なくとも一のデータが上記記憶手段に記憶されているときには、上記記憶されている少なくとも一のデータ以外のデータを、上記記憶手段に自動的に記憶させる」ものであるのに対し、引用発明は、「複数のデータ全てを記憶手段に記憶させるかを自動的に切り替え」ていること、及び「記憶手段に記憶されていないときには複数のデータ全てを記憶手段に自動的に記憶させる」ことの特段の開示がない点。
４．判断
　そこで、上記相違点について検討する。
　引用発明は、第１の記録媒体から第２の記録媒体に主情報を記録する際、重複記録を防止することを課題とし、第１の記録媒体から再生された判別情報が既に第２の記録媒体に記録されていると判断されたときに記録動作を中断させ、第１の記憶媒体から再生された判別情報が記録されていないと判断されたときに記録動作を続行するものである。
　一方、第１の記録媒体に記録されている主情報が第２の記録媒体に記録されていない形態は当然に予測しうることであり、その際には記録すべき主情報を全て第２の記録媒体に自動的に記録させるように制御することは当業者においては自明のことである。
　そうすると、引用発明において、複数のデータが何れも記憶手段に記憶されていないときには複数のデータ全てを記憶手段に自動的に記憶させるようにすること、すなわち、相違点の、「上記複数のデータ全てを上記記憶手段に記憶させるか、上記記憶されている少なくとも一のデータ以外のデータを上記記憶手段に記憶させるかを自動的に切り替え、上記複数のデータが何れも上記記憶手段に記憶されていないときには上記複数のデータ全てを、上記複数のデータのうち少なくとも一のデータが上記記憶手段に記憶されているときには、上記記憶されている少なくとも一のデータ以外のデータを、上記記憶手段に自動的に記憶させる」構成とすることは当業者が格別の創意工夫を要することなく容易に想到できたものである。
　　　
　そして、上記相違点を総合的に判断しても、本願補正発明が奏する効果は引用例から当業者が十分に予測できたものであって格別なものとはいえない。
　
　したがって、本願補正発明は、引用例に記載された発明に基づいて当業者が容易に発明をすることができたものであるから、特許法第２９条第２項の規定により特許出願の際独立して特許を受けることができない。
　
５．本件補正についてのむすび
　以上のとおりであるから、本件補正は、平成１８年法律第５５号改正附則第３条第１項によりなお従前の例によるとされる同法による改正前の特許法第１７条の２第５項で準用する同法第１２６条第５項の規定に違反するものであり、同法第１５９条第１項において読み替えて準用する同法第５３条第１項の規定により却下すべきものである。
　
第３　本願発明について
　
１．本願発明
　平成２０年１２月８日付けの手続補正は上記のとおり却下されたので、本願の請求項１ないし２６に係る発明は、平成２０年１月２１日付け手続補正書により補正された特許請求の範囲の請求項１ないし２６に記載されたとおりのものと認められるところ、請求項１に係る発明（以下「本願発明」という。）は、上記「第２［理由］１．」に本願補正前の請求項１として記載したとおりのものである。
　
２．引用例、及びその記載事項
　原査定の拒絶の理由に引用された引用例、及びその記載事項は、上記「第２［理由］２．」に記載したとおりである。
　
３．対比・判断
　本願発明は、上記「第２［理由］１．」で検討した本願補正発明から「上記判断結果に基づいて、上記複数のデータ全てを上記記憶手段に記憶させるか、上記記憶されている少なくとも一のデータ以外のデータを上記記憶手段に記憶させるかを自動的に切り替え」及び「上記複数のデータのうち少なくとも一のデータが上記記憶手段に記憶されているときには、上記記憶されている少なくとも一のデータ以外のデータを」との構成を削除すると共に、「所定」を同義語に相当する「一」としたものである。
　そうすると、本願発明の構成要件を全て含み、さらに他の構成要件を付加したものに相当する本願補正発明が、上記「第２［理由］３．４．」に記載したとおり、引用例に記載された発明に基づいて、当業者が容易に発明をすることができたものであるから、本願発明も同様の理由により、引用例に記載された発明に基づいて、当業者が容易に発明をすることができたものである。
　
４．むすび
　以上のとおりであるから、本願の請求項１に係る発明は、特許法第２９条第２項の規定により特許を受けることができない。
　したがって、本願は、その余の請求項について論及するまでもなく拒絶すべきものである。
　よって、結論のとおり審決する。